(57)【要約】【課題】マイクを置いておくだけで殺菌消臭することが可能なマイク殺菌消臭器を提供する。【解決手段】マイク殺菌消臭器１に、外形が直方体で上方へ開放されており、前板１２の下部付近に吸気口１２ａが設けられている筺体１０と、筐体１０内を吸気口１２ａよりも上方の部位で上下に仕切っており、前後方向中央よりも後方の部位に送気口２０ａが設けられている仕切板２０と、筐体１０内における仕切板２０の下方に収容されており、殺菌消臭作用を有する気体を発生させて吸気口１２ａから導入した空気と共に送気口２０ａから上方へ送風する殺菌消臭装置２５と、仕切板２０における送気口２０ａよりも前方の部位から上方へ延出している立板３１、及び立板３１の上辺から前方且つ上方へ斜めに前板１２まで延出している傾斜板３２を有し、マイクＭを載置するための載置板３０と、を具備させる。【選択図】図２
0003225292.tif 000002
【実用新案登録請求の範囲】
【請求項１】
外形が直方体で上方へ開放されており、前板、後板、及び一対の側板の少なくとも一つの下部付近に複数の貫通孔からなる吸気口が設けられている筺体と、
該筐体内を前記吸気口よりも上方の部位で上下に仕切っており、前後方向中央よりも後方の部位に複数の貫通孔からなる送気口が設けられている平板状の仕切板と、
前記筐体内における前記仕切板の下方に収容されており、殺菌消臭作用を有する気体を発生させて前記吸気口から導入した空気と共に前記送気口から上方へ送風する殺菌消臭装置と、
前記仕切板における前記送気口よりも前方の部位から上方へ延出している立板、及び該立板の上辺から前方且つ上方へ斜めに前記前板まで延出している傾斜板を有し、前記仕切板における前記送気口の部位に頭部が置かれたマイクの握部を載置するための載置板と、
を具備していることを特徴とするマイク殺菌消臭器。
【請求項２】
前記仕切板における前記送気口の後端よりも前方の部位から上方へ前記筐体の後板よりも高く延出しており、通気性を有する平板状の通気板と、
前記後板の上辺から前記通気板の上辺と接して前方且つ上方へ斜めに延出している平板状の天板と
を更に具備していることを特徴とする請求項１に記載のマイク殺菌消臭器。
【請求項３】
前記載置板は、透光性を有しており、
前記仕切板と前記載置板との間に設けられている発光装置を、更に具備していることを特徴とする請求項１又は請求項２に記載のマイク殺菌消臭器。
【考案の詳細な説明】
【技術分野】
【０００１】
本考案は、カラオケ店等においてマイクを殺菌消臭するためのマイク殺菌消臭器に関するものである。
【背景技術】
【０００２】
カラオケ店や居酒屋等において設置されているマイク（マイクロフォン）は、不特定多数の人が使用するため、唾、雑菌、不快な臭い等が付き、その度に布巾やティッシュ等で拭いており、手間がかかる問題があった。
【考案の概要】
【考案が解決しようとする課題】
【０００３】
そこで、本考案は、マイクを置いておくだけで殺菌消臭することが可能なマイク殺菌消臭器の提供を課題とするものである。
【課題を解決するための手段】
【０００４】
上記の課題を解決するために、本考案にかかるマイク殺菌消臭器は、
「外形が直方体で上方へ開放されており、前板、後板、及び一対の側板の少なくとも一つの下部付近に複数の貫通孔からなる吸気口が設けられている筺体と、
該筐体内を前記吸気口よりも上方の部位で上下に仕切っており、前後方向中央よりも後方の部位に複数の貫通孔からなる送気口が設けられている平板状の仕切板と、
前記筐体内における前記仕切板の下方に収容されており、殺菌消臭作用を有する気体を発生させて前記吸気口から導入した空気と共に前記送気口から上方へ送風する殺菌消臭装置と、
前記仕切板における前記送気口よりも前方の部位から上方へ延出している立板、及び該立板の上辺から前方且つ上方へ斜めに前記前板まで延出している傾斜板を有し、前記仕切板における前記送気口の部位に頭部が置かれたマイクの握部を載置するための載置板と、
を具備している」ものである。
【０００５】
本構成のマイク殺菌消臭器は、棒状のマイクの頭部を後方へ向けた状態で、上方から筐体内へ挿入し、その頭部を仕切板における送気口が設けられている部位に載置して使用する。この状態で、殺菌消臭装置を動作させると、送気口を通して殺菌消臭装置から送風された殺菌消臭作用を有する気体がマイクの頭部に当たり、当該気体によりマイクを殺菌消臭することができる。
【０００６】
従って、マイクを筐体内に挿入してその頭部を送気口の部位に置いておくだけで、殺菌消臭装置から送風された殺菌消臭作用を有する気体によって殺菌消臭することができ、使用の度にマイクを拭く手間をなくすことができる。
【０００７】
また、本構成によれば、マイクを筐体内に載置しているため、マイクが左右に転がっても筐体から脱落することはない。また、マイクの頭部を仕切板における送気口の部位に載置すると、マイクの握部が後端に段を有し前方へ高くなるように傾斜している載置板の上方に位置し、傾斜板によりその頭部が斜め下を向いた状態となるため、マイクが前方へ抜けようとしても、その頭部が載置板の立板と傾斜板との段に引っ掛かり、マイクが前方へ抜けて脱落することはない。
【０００８】
本考案にかかるマイク殺菌消臭器は、上記の構成に加えて、
「前記仕切板における前記送気口の後端よりも前方の部位から上方へ前記筐体の後板よりも高く延出しており、通気性を有する平板状の通気板と、
前記後板の上辺から前記通気板の上辺と接して前方且つ上方へ斜めに延出している平板状の天板と
を更に具備している」ものである。
【０００９】
本構成によれば、仕切板の送気口における載置板と通気板との間の部位に、マイクの頭部を載置して殺菌消臭装置を動作させると、送気口における通気板よりも前方の部位では、殺菌消臭装置から送風される殺菌消臭作用を有する気体が、主にマイクの頭部における送気口と対向している部位に当たる。一方、送気口における通気板よりも後方の部位では、殺菌消臭装置から送風される殺菌消臭作用を有する気体が、通気板と後板との間の空間を通って上方へ流通し、天板に至るまでの間に通気性を有する通気板を通って前方へ送風され、主にマイクの頭部における通気板と対向している部位と天板と対向している部位とに当たる。これにより、マイクの頭部の略全体に、殺菌消臭作用を有する気体が当たるため、マイクの殺菌消臭をより確実に行うことができる。
【００１０】
本考案にかかるマイク殺菌消臭器は、上記の構成に加えて、
「前記載置板は、透光性を有しており、
前記仕切板と前記載置板との間に設けられている発光装置を、更に具備している」ものである。
【００１１】
本構成によれば、殺菌消臭装置の動作に合わせて発光装置を発光させると、載置板が光るため、マイク殺菌消臭器が動作していることが一目で判る。また、発光させる光の色によっては、使用者に清潔感や清浄感を与えたり、イルミネーション効果を楽しませたり、することができる。
【考案の効果】
【００１２】
以上のように、本考案によれば、マイクを置いておくだけで殺菌消臭することが可能なマイク殺菌消臭器を提供することができる。
【図面の簡単な説明】
【００１３】
【図１】本考案の一実施形態であるマイク殺菌消臭器の斜視図である。
【図２】内部の一部を概略で示すマイク殺菌消臭器の側面断面図である。
【考案を実施するための形態】
【００１４】
以下、本考案の具体的な実施形態であるマイク殺菌消臭器１について、図１及び図２を参照して詳細に説明する。本実施形態のマイク殺菌消臭器１は、カラオケ店や居酒屋等において使用されるものであり、マイクＭを殺菌消臭するためのものである。マイク殺菌消臭器１は、外形が直方体で上方へ開放されている筺体１０と、筐体１０内を上下に仕切っている平板状の仕切板２０と、筐体１０内における仕切板２０よりも下方に設けられている殺菌消臭装置２５と、筺体１０内における仕切板２０の上に設けられている載置板３０と、を具備している。
【００１５】
筐体１０は、前後に長い長方形の底板１１と、底板１１の前辺及び後辺から夫々上方へ延出している前板１２及び後板１３と、底板１１の左右両辺から夫々延出している一対の側板１４と、後板１３の上辺から前方且つ上方へ斜めに延出している天板１５と、から構成されている。天板１５は、前辺が、前後方向の中央よりもやや後方となる部位に位置している。
【００１６】
筺体１０は、前板１２及び後板１３と、一対の側板１４の一部とが同じ高さまで上方に延出しており、一対の側板１４の残りの部位が、斜めに延出している天板１５の左右両辺まで上方へ延出している。前板１２は、下部付近に設けられており複数の貫通孔からなる吸気口１２ａと、上辺から円弧状に切欠かれており左右に並んでいる二つの切欠部１２ｂと、を有している。この筺体１０は、仕切板２０の下面の部位において、上下を夫々別部材により形成しているが、上下を一体的に形成しても良い。
【００１７】
仕切板２０は、前後方向の中央よりも後方の部位に複数の貫通孔からなる送気口２０ａが設けられている。仕切板２０の送気口２０ａは、天板１５の下方となる部位に設けられている。この送気口２０ａは、図１に示すように格子状に形成されている。
【００１８】
殺菌消臭装置２５は、筐体１０内における前後方向中央よりも後ろで仕切板２０の送気口２０ａの下方に設けられている。殺菌消臭装置２５は、殺菌消臭作用を有する気体を発生させて上方へ放出することができるものである。殺菌消臭装置２５は、電極間に生じたプラズマ放電によりオゾンや活性酸素のような殺菌消臭作用を有する気体を発生させるものである。本実施形態では、シャープ株式会社製のプラズマクラスター（商標名）と称する空気清浄機を使用している。
【００１９】
載置板３０は、記仕切板２０における送気口２０ａよりも前方の部位から上方へ短く延出している立板３１と、立板３１の上辺から前方且つ上方へ斜めに前板１２まで延出している傾斜板３２と、を有している。載置板３０は、傾斜板３２の前端辺が前板１２における二つの切欠部１２ｂの下端に接している。この載置板３０は、透光性を有する材料により形成されている。
【００２０】
このマイク殺菌消臭器１は、仕切板２０における送気口２０ａの後端よりも前方の部位から上方へ後板１３よりも高く天板１５まで延出しており、通気性を有する平板状の通気板３５を、更に具備している。通気板３５は、図１に示すように、格子状に形成されている。
【００２１】
また、マイク殺菌消臭器１は、仕切板２０と載置板３０との間に設けられている発光装置４０と、前板１２に取付けられている電源スイッチ４１と、筐体１０内に収容されている電源部４２と、電源部４２から前板１２を通して外部へ延出している電源コード４３と、を具備している。発光装置４０は、内部にＬＥＤが設けられている。なお、図２では、電源コード４３を含む電気配線コードを省略して示している。
【００２２】
なお、詳細な図示は省略するが、筐体１０の側板１４が脱着可能に取付けられている。これにより、殺菌消臭装置２５のフィルタや電極ユニット等を、清掃したり交換したりすることが可能である。
【００２３】
次に、本実施形態のマイク殺菌消臭器１の使用方法について説明する。マイク殺菌消臭器１は、電源コード４３の先端（プラグ）を商用電源のコンセントに差し込んだ状態で、電源スイッチ４１をＯＮにすると、殺菌消臭装置２５が動作して、前板１２の吸気口１２ａから吸い込んだ空気を、殺菌消臭作用を有する気体と共に、仕切板２０の送気口２０ａから上方へ送風する。また、電源スイッチ４１をＯＮにすると、発光装置４０が発光して、透光性を有する載置板３０が発光する。
【００２４】
このマイク殺菌消臭器１は、図２において二点鎖線で示すように、マイクＭにおける膨出している頭部Ｍ２を後方へ向けた状態で、上方から筐体１０内へ挿入し、その頭部Ｍ１を仕切板２０における送気口２０ａが設けられている部位に載置すると共に、棒状の握部Ｍ２を前板１２の切欠部１２ｂに挿入した状態で使用する。本実施形態のマイク殺菌消臭器１は、二つのマイクＭを載置することができる。
【００２５】
この状態で、電源スイッチ４１をＯＮにして殺菌消臭装置２５を動作させると、上述したように、殺菌消臭装置２５により殺菌消臭作用を有する気体が送気口２０ａから上方へ送気される。送気口２０ａにおける通気板３５よりも前方の部位では、殺菌消臭装置２５から送風される殺菌消臭作用を有する気体が、主にマイクＭの頭部Ｍ１における送気口２０ａと対向している部位に当たる。
【００２６】
一方、送気口２０ａにおける通気板３５よりも後方の部位では、殺菌消臭装置２５から送風される殺菌消臭作用を有する気体が、通気板３５と後板１３との間の空間を通って上方へ流通し、天板１５に至るまでの間に格子状の通気板３５を通って前方へ送風され、主にマイクＭの頭部Ｍ１における通気板３５と対向している部位と天板１５と対向している部位とに当たる。これにより、図２において点線の矢印で示すような流れにより、マイクＭの頭部Ｍ１の略全体に、殺菌消臭作用を有する気体が当たるため、マイクＭの殺菌消臭を確実に行うことができる。
【００２７】
このように、本実施形態のマイク殺菌消臭器１によれば、マイクＭを筐体１０内に挿入してマイクＭの頭部Ｍ１を送気口２０ａに置いておくだけで、殺菌消臭装置２５から送風された殺菌消臭作用を有する気体によって殺菌消臭することができ、使用の度にマイクＭを拭く手間をなくすことができる。
【００２８】
また、マイクＭを筐体１０内に載置しており、握部Ｍ２が切欠部１２ｂに挿入されることで左右に転がり難くなっていると共に、左右両側に側板１４が位置しているため、マイクＭが左右に転がっても筐体１０から脱落することはない。
【００２９】
また、マイクＭの頭部Ｍ１を送気口２０ａに載置すると、マイクＭの握部Ｍ２が、後端に段を有し前方へ高くなるように傾斜している載置板３０の上方に位置し、傾斜板３２によりその頭部Ｍ１が斜め下を向いた状態となるため、マイクＭが前方へ抜けようとしても、頭部Ｍ１が載置板３０の立板３１と傾斜板３２との段に引っ掛かり、マイクＭが前方へ抜けて脱落してしまうことはない。
【００３０】
更に、電源スイッチ４１をＯＮにすると、殺菌消臭装置２５の動作に合わせて発光装置４０が発光して載置板３０が光るため、マイク殺菌消臭器１が動作していることが一目で判る。
【００３１】
以上、本考案について好適な実施形態を挙げて説明したが、本考案は上記の実施形態に限定するものではなく、本考案の要旨を逸脱しない範囲において、種々の改良及び設計の変更が可能である。
【００３２】
例えば、上記では、殺菌消臭装置２５として、オゾンや活性酸素を発生させるものを示したが、アルコールや次亜塩素酸等を発生させるものとしても良い。
【００３３】
また、上記では、吸気口１２ａを前板１２に設けたものを示したが、前体１２、後板１３も及び一対の側板１４の少なくとも一つに吸気口を設けるようにしても良い。
【符号の説明】
【００３４】
１  マイク殺菌消臭器
１０筐体
１２  前板
１２ａ  吸気口
１２ｂ  切欠部
１３  後板
１５  天板
２０  仕切板
２０ａ  送気口
２５  殺菌消臭装置
３０  載置板
３５  通気板
４０  発光装置
Ｍ  マイク
Ｍ１  頭部
Ｍ２  握部
【図１】
0003225292.tif 000003
【図２】
0003225292.tif 000004